(57)【要約】【課題】異常部品の特定を確実に行なうことができる異常部品特定装置と、自分自身における動作異常の原因となった異常部品の特定を確実に行なうことができる画像読取装置を提供する。【解決手段】画像を読み取ってその画像を表わす画像信号を生成し、その画像信号に所定の信号処理を施す、複数の構成部品で構成される画像読取部の動作時における動作異常を検出する異常検出部１１８１ｅと、異常検出部１１８１ｅによって動作異常が検出された時に、上記の画像読取部に対し、複数の構成部品のうちその動作異常の原因となった構成部品を特定するための診断動作を実行させる部品特定部１１８２ｅとを備えた。【選択図】        図３
2007028457.tif 000002
【特許請求の範囲】
【請求項１】
複数の構成部品で構成される対象装置の動作時における動作異常を検出する異常検出部と、
前記異常検出部によって動作異常が検出された場合に、前記対象装置に対し、前記複数の構成部品のうち該動作異常の原因となった構成部品を特定するための診断動作を実行させる部品特定部とを備えたことを特徴とする異常部品特定装置。
【請求項２】
前記異常検出部が、前記動作異常として、複数種類の動作異常を検出するものであり、
前記部品特定部が、互いに動作内容が異なる複数の診断動作のうち、前記異常検出部によって検出された動作異常の種類に応じた診断動作を前記対象装置に実行させるものであることを特徴とする請求項１記載の異常部品特定装置。
【請求項３】
前記部品特定部によって、前記動作異常の原因となった構成部品が特定された場合に該構成部品を示す部品表示部を備えたことを特徴とする請求項１記載の異常部品特定装置。
【請求項４】
前記部品特定部によって、前記動作異常の原因となった構成部品が特定された場合に該構成部品を記録する部品記録部を備えたことを特徴とする請求項１記載の異常部品特定装置。
【請求項５】
前記部品特定部によって、前記動作異常の原因となった構成部品が特定された場合に該構成部品を通信回線を経由して所定の通知先に通知する通知部を備えたことを特徴とする請求項１記載の異常部品特定装置。
【請求項６】
画像を読み取って該画像を表わす画像信号を生成し、該画像信号に所定の信号処理を施す、複数の構成部品で構成された画像読取部と、
前記画像読取部の動作時における動作異常を検出する異常検出部と
前記異常検出部によって動作異常が検出された時に、前記画像読取部に対し、前記複数の構成部品のうち該動作異常の原因となった構成部品を特定するための診断動作を実行させる部品特定部とを備えたことを特徴とする画像読取装置。
【発明の詳細な説明】
【技術分野】
【０００１】
本発明は、複数の構成部品で構成される対象装置における動作異常の原因となった構成部品を特定する異常部品特定装置と、自分自身における動作異常の原因となった構成部品を特定する機能を有する画像読取装置に関する。
【背景技術】
【０００２】
スキャナ、ファクシミリ、デジタル複写機等には、画像を読取り、読み取った画像を表わす画像信号を生成する画像読取装置が組み込まれているが、従来より、このような画像読取装置では、装置の動作に異常が発生すると、異常内容を示すエラーコードが出力されるようになっている。サービスマンは、そのエラーコードから経験を頼りに、異常が発生したと思われる構成部品に見当を付け、見当を付けた部品を順次に交換することにより異常部品の特定を行なっている。
【０００３】
また、スキャナ、ファクシミリ、デジタル複写機等のメーカ側でネットワークを介して画像読取装置の動作チェックを適宜に実行することで、一般ユーザが画像読取装置の動作異常に気付く前にメーカ側で動作異常を検知し、動作異常が検知された場合にはサービスマンを派遣して、そのサービスマンが検知された動作異常に基づいて異常部品の特定を行なうという技術が提案されている（例えば、特許文献１参照。）。
【特許文献１】特開平１１−１８４３２８号公報
【発明の開示】
【発明が解決しようとする課題】
【０００４】
ところで、動作異常の中には、発生頻度の低い動作異常や、動作時の湿度や気温等といった動作環境に依存する動作異常がある。ここで、上記のようにサービスマンが異常部品を特定する際には、異常の確認のためにもエラーコードが出力された時の動作異常と同じ動作異常を再現させる必要がある。しかし、発生頻度の低い動作異常や動作環境に依存する動作異常は、一度発生してエラーコードが出力されたからといって、サービスマンが異常部品の特定を行なうときに必ず再現できるとは限らず、そのような場合には、異常部品の特定が困難なものとなってしまう。
【０００５】
また、スキャナ、ファクシミリ、デジタル複写機等は、一般家庭、商店、企業のオフィス等といった、あまり動作環境が厳密に管理されていない場所に設置され、高い使用頻度で使われることが多く、それらの機器に組み込まれた画像読取装置には、動作環境に依存する動作異常や発生頻度の低い動作異常が起き易い。一方で、画像読取装置に、その画像読取装置自身における異常部品を特定する機能を搭載させることも考えられているが、画像読取装置が組み込まれた機器の設置環境から、上記のような再現性の低い動作異常については異常部品の特定が困難であることが多い。
【０００６】
また、ここまで、画像読取装置を例に挙げ、異常部品の特定を行なう際に発生する問題点を述べたが、上記のような再現性の低い動作異常に対する異常部品の特定が困難であるという問題は、複数の構成部品で構成される装置一般について生じる問題である。
【０００７】
本発明は、上記事情に鑑み、異常部品の特定を確実に行なうことができる異常部品特定装置と、自分自身における動作異常の原因となった異常部品の特定を確実に行なうことができる画像読取装置を提供することを目的とする。
【課題を解決するための手段】
【０００８】
上記目的を達成する本発明の異常部品特定装置は、複数の構成部品で構成される対象装置の動作時における動作異常を検出する異常検出部と、
上記異常検出部によって動作異常が検出された場合に、上記対象装置に対し、上記複数の構成部品のうちその動作異常の原因となった構成部品を特定するための診断動作を実行させる部品特定部とを備えたことを特徴とする。
【０００９】
本発明の異常部品特定装置によれば、上記対象装置において動作異常が発生した場合に異常部品の特定が自動的に行なわれるので、発生頻度の低い動作異常や動作環境に依存する動作異常等といった、再現性の低い動作異常が発生した場合であっても異常部品の特定を確実に行なうことができる。
【００１０】
ここで、本発明の異常部品特定装置において、「上記異常検出部が、上記動作異常として、複数種類の動作異常を検出するものであり、
上記部品特定部が、互いに動作内容が異なる複数の診断動作のうち、上記異常検出部によって検出された動作異常の種類に応じた診断動作を上記対象装置に実行させるものである」という形態は好ましい形態である。
【００１１】
この好ましい形態の異常部品特定装置によれば、上記異常検出部によって検出された動作異常の種類に応じた最適な部品特定が行なわれるので、より効率的に異常部品を特定することができる。
【００１２】
また、本発明の異常部品特定装置は、「上記部品特定部によって、上記動作異常の原因となった構成部品が特定された場合にその構成部品を示す部品表示部を備えた」という形態であっても良く、あるいは、
「上記部品特定部によって、上記動作異常の原因となった構成部品が特定された場合にその構成部品を記録する部品記録部を備えた」という形態であっても良く、あるいは、
「上記部品特定部によって、上記動作異常の原因となった構成部品が特定された場合にその構成部品を通信回線を経由して所定の通知先に通知する通知部を備えた」という形態であっても良い。
【００１３】
これらの形態によれば、サービスマン等に代表される、異常部品の交換を行なう者が、例えば上記部品表示部で表示された内容を見たり、あるいは、上記部品記録部で記録された内容を後日に読み出したり、あるいは、上記通知部が通知した内容を上記通知先として受け取ったりして異常部品を容易に知ることができる。
【００１４】
また、上記目的を達成する本発明の画像読取装置は、画像を読み取ってその画像を表わす画像信号を生成し、その画像信号に所定の信号処理を施す、複数の構成部品で構成された画像読取部と、
上記画像読取部の動作時における動作異常を検出する異常検出部と
上記異常検出部によって動作異常が検出された時に、上記画像読取部に対し、上記複数の構成部品のうちその動作異常の原因となった構成部品を特定するための診断動作を実行させる部品特定部とを備えたことを特徴とする。
【００１５】
この本発明の画像読取装置には、上述した異常部品特定装置と同等な要素が組み込まれており、それらの要素により、その画像読取装置において画像の読取に関わる主要な要素である上記画像読取部の異常部品が確実に特定される。
【００１６】
尚、本発明の画像読取装置については、ここではその基本形態のみを示すのにとどめるが、これは単に重複を避けるためであり、本発明にいう画像読取装置には、前述した異常部品特定装置の各形態に対応する各種の形態が含まれる。
【発明の効果】
【００１７】
以上、説明したように、本発明によれば、異常部品の特定を確実に行なうことができる。
【発明を実施するための最良の形態】
【００１８】
以下図面を参照して本発明の実施の形態を説明する。
【００１９】
図１は、本発明の画像読取装置の一実施形態の概略断面図である。
【００２０】
図１に示す画像読取装置１は、箱型の筐体１１と、この筐体１１の上部を覆うカバー１２とで構成されており、この筐体１１の、カバー１２と接触する面にはプラテンガラス１１ａが嵌め込まれている。また、カバー１２の、筐体１１と接触する面には、後述するシェーディング補正用の白基準板１２ａが嵌め込まれている。このカバー１２は、図１において奥側に位置する、筐体１１の上面端部に備えられた不図示のヒンジに係合されて開閉
自在となっている。
【００２１】
このカバー１２の上部には、原稿を載置するための支持トレイ１２ｂが取り付けられており、このカバー１２には、支持トレイ１２ｂ上に載置された原稿を引き込むオートフィード機構１２１が備えられている。このオートフィード機構１２１によってカバー１２の内部に引き込まれた原稿１０は、搬送ルートＡに沿って搬送され、搬送ルートＡの、図１における最下点付近で読み取られた後、この支持トレイ１２ｂの下方に確保された排出空間１２ｃに排出されるようになっている。尚、このオートフィード機構１２１には、支持トレイ１２ｂに載置されている原稿１０を引き込む引込ローラ１２１ａ、引き込んだ原稿１０を搬送ルートＡに沿って搬送する搬送ローラ１２１ｂ、および、原稿１０を排出空間１２ｃに排出する排出ローラ１２１ｃも備えられている。
【００２２】
図１に示す筐体１１の内部には、上述したオートフィード機構１２１により搬送されて来る原稿１０を、所定の位置で読み取ると共に、プラテンガラス１１ａ上に載置された原稿を読み取る際には、自らが移動しながら読み取りを行なう第１キャリッジ１１１および第２キャリッジ１１２等を有する画像読取機構１１０が備えられている。
【００２３】
この画像読取機構１１０は、プラテンガラス１１ａに向かって光を照射する光源１１１ａ、および、プラテンガラス１１ａ上の原稿１０に反射して戻ってきた反射光をプラテンガラス１１ａに略平行の方向に反射する第１反射ミラー１１１ｂを有する第１キャリッジ１１１と、第１反射ミラー１１１ｂで反射された反射光を反射する第２反射ミラー１１２ａ、および、第２反射ミラー１１２ａによって反射された反射光を反射する第３反射ミラー１１２ｂを有する第２キャリッジ１１２とを備えている。これら第１キャリッジ１１１および第２キャリッジ１１２は、図示しないステッピングモータにより、図１における左右方向（副走査方向）に往復移動可能に構成されている。
【００２４】
また、この画像読取機構１１０は、上述の第３反射ミラー１１２ｂによって反射された反射光を収束するレンズ１１３と、上方から順にＲ、Ｇ、Ｂ各色毎に備えられたＣＣＤ（電荷結合素子）１１４ａ、１１４ｂ、１１４ｃ、これら各色ＣＣＤ１１４ａ、１１４ｂ、１１４ｃを駆動するＣＣＤ駆動回路１１４ｄ、および、これらが取り付けられるＣＣＤ基板１１４ｅからなるＣＣＤ部１１４と、各色ＣＣＤ１１４ａ、１１４ｂ、１１４ｃから出力された画像信号に信号処理を施し処理済画像信号を出力する読取信号処理基板１１８と、インターネット接続用のポート１１９と、後述の異常部品等を示す表示部１２０とを備えている。尚、各色ＣＣＤ１１４ａ、１１４ｂ、１１４ｃは、図１における手前側から奥側にかけて複数個並べられてＣＣＤ基板１１４ｅに上下方向に３段で取り付けられている。また、上記の表示部１２０は、本発明にいう部品表示部の一例に相当する。
【００２５】
ここで、光源１１１ａと読取信号処理基板１１８は、フレキシブルフラットケーブル（以下、これをＦＦＣと称す）１１６によって接続されており、光源１１１ａの発光は、読取信号処理基板１１８に備えられたＣＰＵ１１８ｅ（図２参照）からＦＦＣ１１６を介して光源１１１ａに出される指示により制御されている。また、ＣＣＤ部１１４と読取信号処理基板１１８は、複数の長尺な信号ラインが幅方向に並べられたフレキシブルプリントケーブル（以下、これをＦＰＣと称す）１１７によって接続されており、各色ＣＣＤ１１４ａ、１１４ｂ、１１４ｃから出力された画像信号や、ＣＰＵ１１８ｅからＣＣＤ駆動回路１１４ｄへの指示がＦＰＣ１１７を介して、ＣＣＤ部１１４と読取信号処理基板１１８との間でやり取りされる。
【００２６】
図１に示す画像読取装置１では、以上に説明した構成により、光源１１１ａからの光が原稿を照射し、原稿からの反射光が各色ＣＣＤ１１４ａ、１１４ｂ、１１４ｃに入射する。これら各色ＣＣＤ１１４ａ、１１４ｂ、１１４ｃからは入射した光に応じた各色毎の画像信号が読取信号処理基板１１８に入力され、この読取信号処理基板１１８において所定の信号処理が施されることとなる。
【００２７】
図２は、図１に示す読取信号処理基板の回路ブロック図である。
【００２８】
図２に示す読取信号処理基板１１８は、パターンジェネレータ回路１１８ａと、サンプルホールド回路１１８１ｂ、出力増幅回路１１８２ｂ、およびＡ／Ｄ変換回路１１８３ｂからなるアナログフロントエンド１１８ｂと、シェーディング補正回路１１８１ｃおよび出力遅延回路１１８２ｃからなるＡＳＩＣ１１８ｃと、ＡＳＩＣ１１８ｃでシェーディング補正等の処理を施されて作成されたＲ、Ｇ、Ｂ各色の画像データに、画像の色や階調等に関する所定の画像処理を行なう画像処理回路１１８ｄと、これら各回路に指示を出すＣＰＵ１１８ｅと、所定の信号データ等が記録されたＲＯＭ１１８ｆと、各種データを記録するためのＥＥＰＲＯＭ１１８ｇとで構成されている。
【００２９】
ここで、ＡＳＩＣ１１８ｃを構成するシェーディング補正回路１１８１ｃは、メモリ１１８０ｃを備えているが、本実施形態では、このメモリ１１８０ｃが、画像読取装置１（図１参照）で動作異常（エラー）が発生したときに、この読取信号処理基板１１８がそのエラーの原因となった異常部品であるか否かを診断する診断処理に利用される。このメモリ１１８０ｃを使った診断処理については後述する。
【００３０】
また、図２には、インターネット１５０への接続用のポート１１９に通信ボード１１９ａが備えられている様子が示されており、さらに、画像読取装置１が、インターネット１５０に接続されたパーソナルコンピュータ１６０と、通信ボード１１９ａを介して通信可能である様子も示されている。ここで、インターネット１５０が本発明にいう通信回線の一例に相当し、この通信ボード１１９ａが、本発明にいう通知部の一例に相当する。
【００３１】
さらに、図２には、図１にも示した、各色ＣＣＤ１１４ａ、１１４ｂ、１１４ｃとＣＣＤ駆動回路１１４ｄとがＣＣＤ基板１１４ｅに配置されてなるＣＣＤ部１１４、そのＣＣＤ部１１４と読取信号処理基板１１８とを接続するＦＰＣ１１７、光源１１１ａ、その光源１１１ａと読取信号処理基板１１８とを接続するＦＦＣ１１６、および各種情報を表示する表示部１２０も示されている。
【００３２】
尚、この図２に示す読取信号処理基板１１８における各回路は、それぞれ公知の回路であるのでそれらの回路における処理の詳細についての説明は省略する。
【００３３】
ここで、この読取信号処理基板１１８のＣＰＵ１１８ｅでは、画像読取装置１（図１参照）におけるエラーの検出、検出されたエラーの原因となった異常部品の特定、特定された異常部品を示す情報の記録等といった異常診断に関わる処理が行なわれる。画像読取装置１において、このような処理が行なわれるＣＰＵ１１８ｅと、特定された異常部品を示す情報の表示が行なわれる表示部１２０と、特定された異常部品を示す情報のインターネットを介した外部装置への通知が行なわれる通信ボード１１９ａを合せた部分が、本発明の異常部品特定装置の一実施形態に相当する。また、ＣＣＤ部１１４と、パターンジェネレータ回路１１８ａと、アナログフロントエンド１１８ｂと、ＡＳＩＣ１１８ｃと、画像処理回路１１８ｄとを合わせたものが、本発明の異常部品特定装置における装置、および本発明の画像読取装置における画像読取部を兼ねた一例に相当する。
【００３４】
以下では、画像読取装置１における、この本発明の異常部品特定装置の一実施形態に注目して説明する。尚、以下の説明では、図１および図２に示す各構成要素については、特に図番を断らずに参照する。
【００３５】
図３は、本発明の異常部品特定装置の一実施形態を示す機能ブロック図である。
【００３６】
図３には、上記のＥＥＰＲＯＭ１１８ｇと通信ボード１１９ａとともに、画像読取装置１におけるエラーの検出を行なう異常検出部１１８１ｅ、検出されたエラーの原因となった異常部品の特定を行なう部品特定部１１８２ｅ、および、特定された異常部品を示す情報の記録を行なう部品記録部１１８３ｅが示されている。ここで、機能ブロックとしての異常検出部１１８１ｅ、部品特定部１１８２ｅ、および部品記録部１１８３ｅそれぞれの役割は、ハードウェアとしてのＣＰＵ１１８ｅによって担われる。尚、異常検出部１１８１ｅ、部品特定部１１８２ｅ、および部品記録部１１８３ｅが、それぞれ本発明にいう異常検出部、部品特定部、および部品記録部の各一例に相当する。
【００３７】
異常検出部１１８１ｅは、上述したように画像読取装置１におけるエラーの検出を行なう。そして、検出したエラーの内容を示すエラーコードを発する。異常検出部１１８１ｅが発したエラーコードは、部品特定部１１８２ｅと表示部１２０と通信ボード１１９ａとに渡される。表示部１２０はそのエラーコードを表示し、通信ボード１１９ａはインターネット１５０を介してそのエラーコードを所定の通知先に通知する。また、部品特定部１１８２ｅは、後述のように、そのエラーコードが示すエラーの原因となった異常部品を示す情報を生成して、その情報を記録部１１８３ｅと表示部１２０と通信ボード１１９ａとに渡す。記録部１１８３ｅはその異常部品を示す情報をＥＥＰＲＯＭ１１８ｇに記録し、表示部１２０はその情報を表示し、通信ボード１１９ａはインターネット１５０を介してその情報を所定の通知先に通知する。
【００３８】
ここで、本実施形態では、この異常検出部１１８１ｅで検出されるエラーのうち、上記の読取信号処理基板１１８への画像データの取込におけるエラーと、後述のオートゲインコントロールにおけるエラーと、後述のオートオフセットコントロールにおけるエラーとは、原因となる異常部品の候補が複数想定される。そこで、これらのエラーについては、部品特定部１１８２ｅにおいて異常部品の特定が行なわれる。ここでは、この異常部品の特定の前に、まず、上記の３つのエラーの検出について説明する。
【００３９】
まず、オートゲインコントロール（ＡＧＣ）におけるエラー（ＡＧＣエラー）の検出について説明する。
【００４０】
このオートゲインコントロールは、後述のオートオフセットコントロールと共に、画像読取装置１に電源が投入された時に自動的に実行される処理であり、光源１１１ａが白基準板１２ａを照射した時にＡＳＩＣ１１８ｃから出力されるＲ、Ｇ、Ｂそれぞれの画像データが所定の目標レベルとなるように、アナログフロントエンド１１８ｂを構成する出力増幅回路１１８２ｂにおけるゲインを調整する処理である。
【００４１】
このオートゲインコントロールの際には、まず光源１１１ａが白基準板１２ａを照射した時にＣＣＤ部１１４で取得され、アナログフロントエンド１１８ｂを経て得られる画像データが、ＡＳＩＣ１１８ｃのシェーディング補正回路１１８１ｃが有するメモリ１１８０ｃに取り込まれる。そして、取り込まれた画像データのレベルとゲイン調整用の目標レベルとに基づいて、ゲインの調整量が算出される。そして、算出された調整量で出力増幅回路１１８２ｂにおけるゲインが調整され、その後、光源１１１ａが白基準板１２ａを照射した時の画像データが再度取り込まれる。その取り込まれた画像データのレベルが、ゲイン調整用の目標レベルを含む所定の範囲に入らなかった場合には、今度は、その画像データと目標レベルとに基づいて、ゲインの調整量が再度算出される。
【００４２】
図３の異常検出部１１８１ｅは、このような処理が所定回数繰り返されても画像データのレベルがゲイン調整用の目標レベルを含む所定の範囲に入らなかった場合にエラーが生じたと判定することでＡＧＣエラーを検出する。
【００４３】
次に、オートオフセットコントロール（ＡＯＣ）におけるエラー（ＡＯＣエラー）の検出について説明する。
【００４４】
オートオフセットコントロールは、光源１１１ａが消灯状態にある時にＡＳＩＣ１１８ｃから出力されるＲ、Ｇ、Ｂそれぞれの画像データが所定の目標レベルとなるように、アナログフロントエンド１１８ｂを構成する出力増幅回路１１８２ｂにおけるオフセットを調整する処理である。
【００４５】
このオフセットコントロールの際には、光源１１１ａが消灯状態にあるとき時にアナログフロントエンド１１８ｂから出力される画像データがメモリ１１８０ｃに取り込まれる。そして、取り込まれた画像データのレベルとオフセット調整用の目標レベルとに基づいて、オフセットの調整量が算出される。そして、算出された調整量で出力増幅回路１１８２ｂにおけるオフセットが調整され、その後、光源１１１ａが消灯状態にあるとき時の画像データが再度取り込まれる。その取り込まれた画像データのレベルが、オフセット調整用の目標レベルを含む所定の範囲に入らなかった場合には、今度は、その画像データと目標レベルとに基づいて、オフセットの調整量が再度算出される。
【００４６】
図３の異常検出部１１８１ｅは、このような処理が所定回数繰り返されても画像データのレベルがオフセット調整用の目標レベルを含む所定の範囲に入らなかった場合にエラーが生じたと判定することでＡＯＣエラーを検出する。
【００４７】
最後に、読取信号処理基板１１８への画像データの取込におけるエラー（画像取り込みエラー）の検出について説明する。
【００４８】
この画像データの取込エラーの検出は、電源投入時に行なわれる上記のオートゲインコントロールおよびオートオフセットコントロールの際の、メモリ１１８０ｃへの画像データの取り込みの機会を利用して次のように行なわれる。即ち、異常検出部１１８１ｅは、オートゲインコントロールとオートオフセットコントロールとの際に、メモリ１１８０ｃへの画像データの取り込みが所定時間を経過しても終了しない場合にエラーが生じたと判定することで、画像取り込みエラーを検出する。
【００４９】
異常検出部１１８１ｅは、このような３つのエラーを含む様々なエラーを検出すると、上述したように、検出したエラーの内容を示すエラーコードを、部品特定部１１８２ｅ、通信ボード１１９ａ、および表示部１２０に向けて発する。
【００５０】
ここで、部品特定部１１８２ｅは、基本的には、異常検出部１１８１ｅから渡されたエラーコードを、異常部品を示す情報として、記録部１１８３ｅ、表示部１２０、および通信ボード１１９ａに送る。ただし、渡されたエラーコードが、上記の３つのエラーを示すものであった場合には、上述したように、異常部品の候補が複数あるために、それらの候補の中から異常部品を次のように特定し、その特定された異常部品を示す後述の部品番号を、異常部品を示す情報として、記録部１１８３ｅ、表示部１２０、および通信ボード１１９ａに送る。
【００５１】
本実施形態では、上記の３つのエラーに対応する異常部品の候補として、ＣＣＤ部１１４、ＣＣＤ部１１４と読取信号処理基板１１８とを接続するＦＰＣ１１７、読取信号処理基板１１８、光源１１１ａ、および、光源１１１ａと読取信号処理基板１１８とを接続するＦＦＣ１１６といった５つの部品が想定されている。部品特定部１１８２ｅは、後述のような様々な診断処理を行なうことによって、ＣＣＤ部１１４、パターンジェネレータ回路１１８ａ、アナログフロントエンド１１８ｂ、およびＡＳＩＣ１１８ｃに異常部品特定のための診断動作をさせる。各診断処理における診断結果は、結果が正常であれば「０」で表わされ、異常であれば「１」で表わされて、部品記録部１１８３ｅを介して、ＥＥＰＲＯＭ１１８ｇの一部に確保されている診断結果の記録領域に書き込まれる。そして、部品特定部１１８２ｅは、この記録領域に書き込まれた診断結果に基づいて異常部品を特定する。
【００５２】
以下、部品特定部１１８２ｅにおける異常部品の特定について説明する。
【００５３】
図４は、図３に示す部品特定部における異常部品の特定の流れを表わすフローチャートである。尚、以下の説明では、図１および図２に加えて、上記の図３に示す構成要素についても特に図番を断らずに参照する。
【００５４】
このフローチャートが表わす処理は、部品特定部１１８２ｅが、異常検出部１１８１ｅからエラーコードを受け取るとスタートする。
【００５５】
処理がスタートすると、ステップＳ１において、受け取ったエラーコードが示すエラーが画像取り込みエラーであるか否かが判定される。ステップＳ１において、このエラーが画像取り込みエラーでは無いと判定されると（ステップＳ１におけるＮｏ判定）、ステップＳ２に進み、受け取ったエラーコードが示すエラーがＡＧＣエラーとＡＯＣエラーとのいずれかのエラーであるか否かが判定される。
【００５６】
ステップＳ２において、エラーがＡＧＣエラーあるいはＡＯＣエラーであると判定されると（ステップＳ２におけるＹｅｓ判定）、ステップＳ３に進み、ＥＥＰＲＯＭ１１８ｇの一部に確保されている、診断結果の記録領域の内容を「０」に書き換えるように記録部１１８３ｅに指示が出される。次に、ステップＳ４では、第１キャリッジ１１１に白基準板１２ａの下方への移動が指示され、その後、ステップＳ５において、サブルーチン‘光源−ＣＣＤ診断’が起動される。
【００５７】
図５は、サブルーチン‘光源−ＣＣＤ診断’のフローチャートである。
【００５８】
このサブルーチン‘光源−ＣＣＤ診断’がスタートすると、まず、ステップＳ５０において光源１１１ａのオンが指示され、その後、ステップＳ５１において、部品特定部１１８１ｅは１００ｍｓｅｃ待機する。そして、この待機中に、Ｒ、Ｇ、Ｂ各色のＣＣＤ１１４ａ、１１４ｂ、１１４ｃそれぞれの中央部分の４０画素で得られる画像信号がＥＥＰＲＯＭ１１８ｇに格納される。そして、１００ｍｓｅｃが経過すると、ステップＳ５２において、その１００ｍｓｅｃ間に格納された画像信号がＥＥＰＲＯＭ１１８ｇから読み出され、各ＣＣＤ１１４ａ、１１４ｂ、１１４ｃの中央部分の４０画素で得られた画像信号の平均値が各色について算出される。
【００５９】
次に、ステップＳ５３において、各色についての平均値が全て光源チェック用の閾値Ａ以下であるか否かが判定される。このステップＳ５３において、各色についての平均値のうち閾値Ａを上回っている平均値が少なくとも１つあると判定された場合（ステップＳ５３におけるＮｏ判定）には、光源１１１ａとＦＦＣ１１６（以下、これらをまとめて光源系と呼ぶ）には異常がないと判断され、ステップＳ５４に進み、各色についての平均値が全て光源チェック用の閾値Ａを上回っているか否かが判定される。
【００６０】
ステップＳ５４において、平均値が全て光源チェック用の閾値Ａを上回っていると判定された場合（ステップＳ５４におけるＹｅｓ判定）には、ＣＣＤ部１１４にも異常がないと判断されて、ステップＳ５５において光源１１１ａのオフが指示され、図４のフローチャートが表わす処理（以後、メインルーチンと呼ぶ）に戻って、このメインルーチンのステップＳ６に進む。
【００６１】
ここで、サブルーチン‘光源−ＣＣＤ診断’のステップＳ５３において、各色についての平均値が全て閾値Ａ以下であると判定された場合（ステップＳ５３におけるＹｅｓ判定）には、光源系に異常があると判断され、ステップＳ５６に進んで、光源系についての診断結果として、異常があることを示す「１」を、ＥＥＰＲＯＭ１１８ｇの診断結果の記録領域に書き込むように記録部１１８３ｅに指示が出された後に、上記のステップＳ５４に進む。
【００６２】
また、ステップＳ５４において、各色についての平均値のうち閾値Ａ以下のものが少なくとも１つあると判定された場合（ステップＳ５３におけるＮｏ判定）には、ＣＣＤ部１１４に異常があると判断され、ステップＳ５７に進んで、ＣＣＤ部１１４についての診断結果として、異常があることを示す「１」を、診断結果の記録領域に書き込むように記録部１１８３ｅに指示が出された後に、上記のステップＳ５５に進む。
【００６３】
尚、このサブルーチン‘光源−ＣＣＤ診断’において、光源系の診断結果およびＣＣＤ部１１４の診断結果として「１」が書き込まれなければ、これらの診断結果としては、図４のメインルーチンのステップＳ３において記録した、正常を示す「０」が記録されたままとなる。
【００６４】
ここで、図４に戻って説明を続ける。
【００６５】
上記のサブルーチン‘光源−ＣＣＤ診断’（ステップＳ５）の次に実行されるステップＳ６では、ＦＰＣ１１７の接続診断を行なうサブルーチン‘ＦＰＣ接続診断’が起動される。
【００６６】
ここで、このサブルーチン‘ＦＰＣ接続診断’について説明する前に、ＦＰＣ１１７の詳細について説明する。
【００６７】
図６は、ＣＣＤ部に備えられたコネクタと、ＦＰＣとを示す外観斜視図である。
【００６８】
ＦＰＣ１１７は、上述したようにＣＣＤ部１１４と読取信号処理基板１１８とを接続するものであり、ＦＰＣ１１７の、ＣＣＤ部１１４側の端部に取り付けられているコネクタ１１７ａが、Ｒ、Ｇ、Ｂ３色分のＣＣＤ１１４ａ、１１４ｂ、１１４ｃとＣＣＤ駆動回路１１４ｄが搭載されたＣＣＤ基板１１４ｅに取り付けられたコネクタ１１４ｆに勘合する。尚、ＦＰＣの読取信号処理基板１１８側の端部は、コネクタの勘合等を経ることなく直接に読取信号処理基板１１８に接続されている。
【００６９】
このＦＰＣ１１７の、幅方向に並べられた複数の信号ラインのうち、両端に位置する第１および第２の信号ライン１１７１、１１７２を除く信号ラインは、ＣＣＤ部１１４から、読取信号処理基板１１８のアナログフロントエンド１１８ｂへの画像信号の送信に使用されている。
【００７０】
一方、上記の第１および第２の信号ライン１１７１、１１７２は、ＣＣＤ部１１４のコネクタ１１４ｆにＦＰＣ１１７のコネクタ１１７ａが正常に勘合しているか否かを診断するための専用ラインとして使用される。
【００７１】
ＣＣＤ部１１４のコネクタ１１４ｆの内部には、一方の面だけに接点を有する２枚の片接点基板１１４１ｆが、互いの接点同士が向き合うように取り付けられている。また、ＦＰＣ１１７のコネクタ１１７ａの内部には、表裏両面に接点を有する両接点基板１１７ｂが取り付けられている。これら２つのコネクタが互いに勘合する際には、ＣＣＤ部１１４のコネクタ１１４ｆが有する２枚の片接点基板１１４１ｆの間に、ＦＰＣ１１７のコネクタ１１７ａが有する両接点基板１１７ｂが嵌め込まれ、両接点基板１１７ｂの接点と片接点基板１１４１ｆの接点とが接触することとなる。
【００７２】
図７は、ＣＣＤ部のコネクタにＦＰＣのコネクタが正常に勘合した状態を、図３に示す矢印Ｘの方向にみた断面図である。
【００７３】
この図７には、２枚の片接点基板１１４１ｆの間に両接点基板１１７ｂが嵌め込まれることで、両接点基板１１７ｂの接点１１７ｂ＿１と片接点基板１１４１ｆの接点１１４１f＿１とが互いに接触している様子が示されている。ここで、上述したように、本実施形態では、ＦＰＣ１１７の両端に位置する第１および第２の信号ライン１１７１、１１７２は、ＣＣＤ部１１４のコネクタ１１４ｆにＦＰＣ１１７のコネクタ１１７ａが正常に勘合しているか否かを診断するための専用ラインとして使用される。そして、第１の信号ライン１１７１に繋がる両面接点基板１１７ｂ上の第１の接点１１７１ｂと接触する、図中上側の片接点基板１１４１ｅ上の第１の接点１１４１１と、第２の信号ライン１１７２に繋がる両面接点基板１１７ｂ上の第２の接点１１７２ｂと接触する、図中上側の片接点基板１１４１ｅ上の第２の接点１１４１２とが、上記の勘合についての診断のために、短絡ライン１１４１３により互いに短絡されている。これにより、本実施形態では、詳細は後述するように、部品特定部１１８２ｅ、即ちＣＰＵ１１８ｅが、ＦＰＣ１１７の第１の信号ライン１１７１にテスト信号を送信し、そのときに、そのテスト信号が第２の信号ライン１１７２を経由して受信されたか否かを判定することにより、ＦＰＣ１１７のコネクタ１１７ａとＣＣＤ部１１４のコネクタ１１４ｆとの電気的接続が正常であるか否かが診断される。
【００７４】
次に、このＦＰＣ１１７のコネクタ１１７ａとＣＣＤ部１１４のコネクタ１１４ｆとの電気的接続が正常であるか否かの診断であるＦＰＣ１１７の接続診断を行なうサブルーチン‘ＦＰＣ接続診断’について説明する。
【００７５】
図８は、サブルーチン‘ＦＰＣ接続診断’のフローチャートである。
【００７６】
尚、以下の説明では、図６および図７に示す構成要素についても特に図番を断らずに参照する。
【００７７】
このサブルーチン‘ＦＰＣ接続診断’がスタートすると、まず、ステップＳ６０において、ＣＰＵ１１８ｅの、上記の第１の信号ライン１１７１に繋がる出力ポートにおいて‘Ｈ’がアサートされ、その後、ステップＳ６１において、部品特定部１１８１ｅは１０ｍｓｅｃ待機する。１０ｍｓｅｃが経過すると、ステップＳ６２において、ＣＰＵ１１８ｅの、上記の第２の信号ライン１１７２に繋がる入力ポートの信号レベルが‘Ｈ’であるか否かが判定される。
【００７８】
このステップＳ６２において、信号レベルが‘Ｈ’であると判定されると（ステップＳ６２におけるＹｅｓ判定）、ステップＳ６３に進み、今度は、ＣＰＵ１１８ｅの上記の出力ポートにおいて‘Ｌ’がアサートされ、その後、ステップＳ６４において、部品特定部１１８１ｅは１０ｍｓｅｃ待機する。１０ｍｓｅｃが経過すると、ステップＳ６５において、ＣＰＵ１１８ｅの上記の入力ポートの信号レベルが‘Ｌ’であるか否かが判定される。このステップＳ６５において、信号レベルが‘Ｌ’であると判定されると（ステップＳ６５におけるＹｅｓ判定）、ＥＥＰＲＯＭ１１８ｇの診断結果の記録領域の記録内容を、正常を示す「０」としたまま図４のメインルーチンに戻って、このメインルーチンのステップＳ７に進む。
【００７９】
ここで、ステップＳ６２において、信号レベルが‘Ｈ’ではないと判定されるか（ステップＳ６２におけるＹｅｓ判定）、あるいは、ステップＳ６５において、信号レベルが‘Ｌ’ではないと判定されると、ＦＰＣ１１７の接続についての診断結果として、異常があることを示す「１」を、診断結果の記録領域に書き込むように記録部１１８３ｅに指示が出された後に、図４のメインルーチンに戻る。
【００８０】
上記のサブルーチン‘ＦＰＣ接続診断’（図４のステップＳ６）の次に実行されるステップＳ７では、読取信号処理基板１１８の動作を診断するサブルーチン‘ＩＰＳ診断’が起動される。
【００８１】
図９は、サブルーチン‘ＩＰＳ診断’のフローチャートである。
【００８２】
このサブルーチン‘ＩＰＳ診断’がスタートすると、まず、ステップＳ７０において、パターンジェネレータ回路１１８ａに対して、アナログフロントエンド１１８ｂへの所定のテストパターン信号の入力が指示される。そして、ステップＳ７１において、アナログフロントエンド１１８ｂおよびＡＩＳＣ１１８ｃに対して、まず、アナログフロントエンド１１８ｂにおいてテストパターン信号に所定の信号処理を施し、次に、ＡＳＩＣ１１８ｃにおいてその処理済テストパターン信号をシェーディング補正回路１１８１ｃが備えているメモリ１１８０ｃに記録するように指示される。このとき、ステップＳ７０およびステップＳ７１の処理が、通常のＣＣＤ部１１４からの画像信号の取り込みの時と同じ同期信号に同期して行なわれるように、ＣＣＤ部１１４が備えているＣＣＤ駆動回路１１４ｄからアナログフロントエンド１１８ｂとＡＳＩＣ１１８ｃとに向けて同期信号が送られる。
【００８３】
ここで、読取信号処理基板１１８が備えているＲＯＭ１１８ｆには、この読取信号処理基板１１８において、上記のテストパターン信号に対する変換処理からメモリ１１８０ｃへの記録までの一連の回路動作が正常に行なわれた場合に最終的にメモリ１１８０ｃに記録されるであろう期待信号が予め保管されている。そして、ステップＳ７２において、この期待信号と、メモリ１１８０ｃに記録されている処理済テストパターン信号とが一致するか否かが判定される。このステップＳ７２において両者が一致すると判定されると（ステップＳ７２におけるＹｅｓ判定）、ＥＥＰＲＯＭ１１８ｇの診断結果の記録領域の記録内容を、正常を示す「０」としたまま図４のメインルーチンに戻って、このメインルーチンのステップＳ８に進む。
【００８４】
一方、ステップＳ７２において両者が一致しないと判定されると（ステップＳ７２におけるＮｏ判定）、ＩＰＳ診断の診断結果として、異常があることを示す「１」を診断結果の記録領域に書き込むように記録部１１８３ｅに指示が出され（ステップＳ７３）、その後に図４のメインルーチンに戻る。
【００８５】
上記のサブルーチン‘ＩＰＳ診断’（図４のステップＳ７）が終了すると、次にステップＳ８において、この時点でＥＥＰＲＯＭ１１８ｇの診断結果の記録領域に記録されている診断結果から次のように異常部品が特定される。
【００８６】
図１０は、ＥＥＰＲＯＭの診断結果の記録領域に記録されている診断結果の一例を示す図である。
【００８７】
この図１０に示す診断結果の記録領域２００は、光源系の診断結果の記録領域２０１と、ＣＣＤ部の診断結果の記録領域と、ＦＰＣ接続診断の診断結果の記録領域２０３と、ＩＰＳ診断の診断結果の記録領域２０４と、画像取り込み診断の診断結果の記録領域２０５とを有している。この図１０の例では、光源系の診断結果の記録領域２０１およびＣＣＤ部の診断結果の記録領域には異常を示す「１」が記録され、ＦＰＣ接続診断の診断結果の記録領域２０３およびＩＰＳ診断の診断結果の記録領域２０４には正常を示す「０」が記録されている。また、画像取り込み診断の診断結果の記録領域２０５については、ステップＳ５〜ステップＳ７では画像取り込み診断が実行されないので、ステップＳ３で記録された「０」が記録されたままになっている。
【００８８】
メインルーチンのステップＳ８では、部品特定部１１８２ｅは、診断結果の記録領域２００のうち、ステップＳ５〜ステップＳ７では実行されていない画像取り込み診断の診断結果の記録領域２０５の記録内容を除いた、図１０に一例を示すような記録内容に基づき、以下の表１に示す参照テーブルを参照して異常部品を特定する。
【００８９】
【表１】
2007028457.tif 000003
【００９０】
この表１では、光源系の診断結果と、ＣＣＤ部の診断結果と、ＦＰＣ接続診断の診断結果と、ＩＰＳ診断の診断結果との様々な組合せそれぞれと、最大２個の交換対象の異常部品が対応付けられている。本実施形態では、この表１に示す参照テーブルは、ＲＯＭ１１８ｆに格納されており、部品特定部１１８２ｅは、異常部品を特定する際には、このＲＯＭ１１８ｆ内の参照テーブルを読み出して参照する。
【００９１】
例えば、図１０に示す診断結果は、上述したように光源系の診断結果およびＣＣＤ部の診断結果が「１」であり、ＦＰＣ接続診断の診断結果およびＩＰＳ診断の診断結果が「０」である。これらの診断結果の組合せは、表１では、Ｎｏ．‘２’の組合せに該当する。これにより、異常部品として、部品番号‘０１’が示す光源１１１ａ、および部品番号‘１０’が示す光源用のＦＦＣ１１６が特定される。
【００９２】
尚、この表１における‘Ｎｏ２’では、光源系の診断結果の記録領域２０１およびＣＣＤ部の診断結果の記録領域の双方の記録内容が異常を示す「１」であるにもかかわらず、その場合に交換するべき異常部品としては、ＣＣＤ部１１４は挙げられておらず、光源系を構成する光源１１１ａとＦＦＣ１１６のみが挙げられている。これは、図５に示すサブルーチン‘光源−ＣＣＤ診断’では、光源系に異常が有る場合には、光源系だけでなくＣＣＤ部１１４にも異常有りと判定されてしまうからであり、光源系およびＣＣＤ部双方の診断結果の記録領域２０１，２０２の記録内容が共に「１」である場合には、光源系を構成する光源１１１ａとＦＦＣ１１６のみに異常が発生している確率が高いからである。また、本実施形態の画像読取装置１では、経験的に、光源系およびＣＣＤ部１１４よりも、ＦＰＣ１１７および読取信号処理基板（ＩＰＳ）１１８に異常が発生しやすく、光源系では光源用のＦＦＣ１１６よりも光源１１１ａに異常が発生しやすいということが分かっている。そこで、表１では、表中の各Ｎｏの診断結果に対して、交換するべき異常部品として、上記のような、異常が発生しやすい部品が優先的に対応付けられている。
【００９３】
以上に説明したように、ステップＳ８において交換するべき異常部品が特定されると、ステップＳ９において、その特定された異常部品を表わす部品番号をＥＥＰＲＯＭ１１８ｇに格納するように記録部１１８３ｅに指示が出される。さらに、このステップＳ９では、この部品番号を表示するように表示部１２０に指示が出され、また、この部品番号をインターネットを介して所定の通知先に通知するように通信ボード１１９ａにも指示が出されて、このメインルーチンの処理が終了する。
【００９４】
次に、上述のステップＳ１において、受け取ったエラーコードが示すエラーが画像取り込みエラーであると判定された場合（ステップＳ１におけるＮｏ判定）の処理について説明する。
【００９５】
この場合にはステップＳ１０に進み、サブルーチン‘画像取り込み診断’が起動される。
【００９６】
図１１は、サブルーチン‘画像取り込み診断’のフローチャートである。
【００９７】
このサブルーチン‘画像取り込み診断’がスタートすると、まず、ステップＳ１００において、パターンジェネレータ回路１１８ａが備えている同期信号生成部１１８１ａを使って、ＣＣＤ駆動回路１１４ｄが作る同期信号と同等な同期信号を内部同期信号として生成することがパターンジェネレータ回路１１８ａに指示される。このステップＳ１００において生成された内部同期信号は、アナログフロントエンド１１８ｂとＡＳＩＣ１１８ｃに入力される。
【００９８】
次に、ステップＳ１０１において、パターンジェネレータ回路１１８ａに対して、アナログフロントエンド１１８ｂへの所定のテストパターン信号の入力が指示され、ステップＳ１０２において、アナログフロントエンド１１８ｂおよびＡＩＳＣ１１８ｃに対して、まず、アナログフロントエンド１１８ｂにおいてテストパターン信号に所定の信号処理を施し、次に、ＡＳＩＣ１１８ｃにおいてその処理済テストパターン信号をシェーディング補正回路１１８１ｃが備えているメモリ１１８０ｃに記録するように指示される。このとき、ステップＳ１０１およびステップＳ１０２の処理は、上記の内部同期信号に同期して行なわれる。
【００９９】
ここで、このサブルーチン‘画像取り込み診断’において、ＣＣＤ駆動回路１１４ｄが作る同期信号に替えて上記の内部同期信号を用いる理由は、このサブルーチンで行なわれる画像取り込み診断は、あくまで読取信号処理基板１１８における内部動作としての画像取り込みに異常が生じていないか否かを診断するものであり、ＣＣＤ駆動回路１１４ｄ等といった外部回路とは切り離して読取信号処理基板１１８を動作させる必要があるからである。
【０１００】
ステップＳ１０２の次には、ステップＳ１０３において、部品特定部１１８１ｅは５ｍｓｅｃ待機する。５ｍｓｅｃが経過すると、ステップＳ１０４において、読取信号処理基板１１８における画像信号の取り込みが終了したか否かが判定される。この画像信号の取り込みの終了の判定は、シェーディング補正回路１１８１ｃのメモリ１１８０ｃに何らかの画像データが記録されているか否かで判定される。ただし、このステップＳ１０４では、そのメモリ１１８０ｃに記録された画像データの内容までは問われず、あくまで画像データが記録されているか否かのみがチェックされる。
【０１０１】
ステップＳ１０４において、画像信号の取り込みが終了していると判定された場合（ステップＳ１０４におけるＹｅｓ判定）には、ステップＳ１０５に進み、そのステップＳ１０５において、ステップＳ１００で開始された内部同期信号の生成が停止され、ＥＥＰＲＯＭ１１８ｇにおける画像取り込み診断の診断結果の記録領域２０５（図１０参照）の記録内容を、正常を示す「０」としたまま図４のメインルーチンに戻って、このメインルーチンのステップＳ１１に進む。
【０１０２】
一方、ステップＳ１０４において、画像信号の取り込みが終了していないと判定された場合（ステップＳ１０４におけるＮｏ判定）には、ステップＳ１０５に進み、このステップＳ１０５において、画像取り込み診断についての診断結果として、異常があることを示す「１」を、図１０に示す画像取り込み診断の診断結果の記録領域２０５に書き込むように記録部１１８３ｅに指示が出された後に、ステップＳ１０５を経て図４のメインルーチンに戻る。
【０１０３】
上記のサブルーチン‘画像取り込み診断’（ステップＳ１０）の次に実行されるステップＳ１１では、上述のステップＳ６で実行されるサブルーチン‘ＦＰＣ接続診断’と同じサブルーチンが起動される。
【０１０４】
サブルーチン‘画像取り込み診断’（ステップＳ１０）およびサブルーチン‘ＦＰＣ接続診断’ （ステップＳ１１）が終了すると、ステップＳ１２に進み、これら２つの診断処理において図１０に示す画像取り込み診断の診断結果の記録領域２０５とＦＰＣ接続診断の診断結果の記録領域２０３とに記録された診断結果から次のように異常部品の特定が行なわれる。
【０１０５】
このステップＳ１２では、画像取り込み診断の診断結果が「１」であった場合には読取信号処理基板１１８を異常部品として特定し、ＦＰＣ接続診断の診断結果が「１」であった場合にはＦＰＣ１１７を異常部品として特定し、画像取り込み診断の診断結果とＦＰＣ接続診断の診断結果との双方が「０」であった場合には、ＦＰＣ１１７の上流側の部品であるＣＣＤ部１１４を異常部品として特定する。
【０１０６】
このように、ステップＳ１２において異常部品が特定されると、上記のステップＳ９を経てこのメインルーチンの処理が終了する。
【０１０７】
次に、上述のステップＳ２において、受け取ったエラーコードが示すエラーがＡＧＣエラーとＡＯＣエラーとのいずれでもないと判定された場合（ステップＳ２におけるＮｏ判定）の処理（ステップＳ１３）について説明する。
【０１０８】
この場合、そのエラーコードが示すエラーは、画像取り込みエラー、ＡＧＣエラー、およびＡＯＣエラーという、エラーの原因として複数の異常部品が想定されるようなエラーではなく、例えばサービスマンは、そのエラーコードから直接に異常部品を知ることができる。このため、本実施形態では、このステップＳ１３において、部品記録部１１８３ｅに対して、エラーコードそのものを異常部品を示す情報としてＥＥＰＲＯＭ１１８ｇに格納するように指示され、このメインルーチンの処理が終了する。
【０１０９】
尚、上記では、本発明の一実施形態として、本発明の画像読取装置の一実施形態である画像読取装置１を例示したが、本発明はこれに限るものではなく、本発明の一実施形態は、複数の構成部品で構成された装置一般に本発明の異常部品特定装置の一例が組み込まれたものであっても良く、あるいは、異常の検出対象の装置とは独立して存在し、その装置における異常を検出して異常の原因となった異常部品を特定する装置等であっても良い。
【図面の簡単な説明】
【０１１０】
【図１】本発明の画像読取装置の一実施形態の概略断面図である。
【図２】図１に示す読取信号処理基板の回路ブロック図である。
【図３】本発明の異常部品特定装置の一実施形態を示す機能ブロック図である。
【図４】図３に示す部品特定部における異常部品の特定を表わすフローチャートである。
【図５】サブルーチン‘光源−ＣＣＤ診断’のフローチャートである。
【図６】ＣＣＤ部に備えられたコネクタと、ＦＰＣとを示す外観斜視図である。
【図７】ＣＣＤ部のコネクタにＦＰＣのコネクタが正常に勘合した状態を、図３に示す矢印Ｘの方向にみた断面図である。
【図８】サブルーチン‘ＦＰＣ接続診断’のフローチャートである。
【図９】サブルーチン‘ＩＰＳ診断’のフローチャートである。
【図１０】ＥＥＰＲＯＭの診断結果の記録領域に記録されている診断結果の一例を示す図である。
【図１１】サブルーチン‘画像取り込み診断’のフローチャートである。
【符号の説明】
【０１１１】
１    画像読取装置
１０    原稿
１１    筐体
１１ａ    プラテンガラス
１１１    第１キャリッジ
１１１ａ    光源
１１１ｂ    第１反射ミラー
１１２    第２キャリッジ
１１２ａ    第２反射ミラー
１１２ｂ    第３反射ミラー
１１３    レンズ
１１４    ＣＣＤ部
１１４ａ，１１４ｂ，１１４ｃ    ＣＣＤ
１１４ｄ    ＣＣＤ駆動回路
１１４ｅ    ＣＣＤ基板
１１４ｆ    コネクタ
１１４１ｆ    片接点基板
１１４ｆ＿１    接点
１１４１１    第１の接点
１１４１２    第２の接点
１１４１３    短絡ライン
１１６    フレキシブルフラットケーブル
１１７    フレキシブルプリントケーブル
１１７１    第１の信号ライン
１１７２    第２の信号ライン
１１７ａ    コネクタ
１１７ｂ    両接点基板
１１７ｂ＿１    接点
１１７１ｂ    第１の接点
１１７２ｂ    第２の接点
１１８    ＣＰＵ
１１８ａ    パターンジェネレータ回路
１１８１ａ    同期信号生成部
１１８ｂ    アナログフロントエンド
１１８１ｂ    サンプルホールド回路
１１８２ｂ    出力増幅回路
１１８３ｂ    Ａ／Ｄ変換回路
１１８ｃ    ＡＳＩＣ
１１８０ｃ    メモリ
１１８１ｃ    シェーディング補正回路
１１８２ｃ    出力増幅回路
１１８ｄ    画像処理回路
１１８ｅ    ＣＰＵ
１１８１ｅ    異常検出部
１１８２ｅ    部品特定部
１１８３ｅ    記録部
１１８ｆ    ＲＯＭ
１１８ｇ    ＥＥＰＲＯＭ
１１９    ポート
１１９ａ    通信ボード
１２０    表示部
１２    カバー
１２ａ    白基準板
１２ｂ    支持トレイ
１２ｃ    排出空間
１２１    オートフィード機構
１２１ａ    引込ローラ
１２１ｂ    搬送ローラ
１２１ｃ    排出ローラ
１５０    インターネット
１６０    パーソナルコンピュータ
２００    診断結果の記録領域
２０１    光源系の診断結果の記録領域
２０２    ＣＣＤ部の診断結果の記録領域
２０３    ＦＰＣ接続診断の診断結果の記録領域
２０４    ＩＰＳ診断の診断結果の記録領域
２０５    画像取り込み診断の診断結果の記録領域
【図１】
2007028457.tif 000004
【図２】
2007028457.tif 000005
【図３】
2007028457.tif 000006
【図４】
2007028457.tif 000007
【図５】
2007028457.tif 000008
【図６】
2007028457.tif 000009
【図７】
2007028457.tif 000010
【図８】
2007028457.tif 000011
【図９】
2007028457.tif 000012
【図１０】
2007028457.tif 000013
【図１１】
2007028457.tif 000014